(57)【特許請求の範囲】
【請求項１】
交換機の直通信号方式回線インタフェーストランク（特殊トランク）を介して手動受付台を接続する手動受付台回線の、人手による試験端末および上記手動受付台のそれぞれの操作により行われていた試験を自動的に行う手動受付台回線自動試験システムであって、
上記交換機に接続され、上記手動受付台への発呼を少なくとも含む上記試験端末で人手により操作されていた試験操作を自動的に行う自動試験制御装置と、上記手動受付台の前段で上記手動受付台回線に接続され、上記自動試験制御装置の試験操作に対応して、上記発呼に対する応答を少なくとも含む上記手動受付台で人手により操作されていた試験操作を自動的に行う回線試験装置とを有し、さらに、上記交換機に接続される二つの加入者線を具備し、上記自動試験制御装置からの発呼に基づき該自動試験制御装置に、上記加入者線の一方を介して上記交換機により接続され、該接続された自動試験制御装置からの上記手動受付台への発呼を、上記加入者線の他方を介して上記交換機に送出する試験回線接続装置を設け、上記自動試験制御装置を加入者線を介して上記交換機に接続することにより、上記手動受付台回線の自動試験を行うことを特徴とする手動受付台回線自動試験システム。
【請求項２】
請求項１に記載の手動受付台回線自動試験システムにおいて、
上記自動試験制御装置は、
上記試験回線接続装置への発呼および該試験回線接続装置と上記交換機を介しての上記手動受付台への発呼を少なくとも行う試験発呼制御手段と、
上記回線試験装置に起動をかけて該回線試験装置に上記手動受付台回線を引き込ませる回線試験装置制御手段と、
上記手動受付台への発呼に対する上記回線試験装置からの応答の確認、上記回線試験装置間で送受信するＰＢ信号のレベル確認、上記回線試験装置から送出される再呼信号の受信確認を少なくとも含む上記手動受付台回線の試験を行う回線試験制御手段と
を少なくとも有することを特徴とする手動受付台回線自動試験システム。
【請求項３】
請求項１または２に記載の手動受付台回線自動試験システムにおいて、
上記回線試験装置は、上記自動試験制御装置からの指示に基づき、上記特殊トランクと上記手動受付台を接続する上記手動受付台回線を自装置内に引き込む切換制御手段と、該切換制御手段で引き込んだ上記手動受付台回線を介して上記自動試験制御装置との試験を行う試験回路手段とを少なくとも有することを特徴とする手動受付台回線自動試験システム。
【請求項４】
請求項３に記載の手動受付台回線自動試験システムにおいて、
上記回線試験装置の上記試験回路手段は、
上記手動受付台回線を介して上記自動試験制御装置から送出されてきた発呼信号を検出する着信検出手段と、該着信検出手段で検出した発呼信号に対応して応答信号を上記手動受付台回線を介して上記自動試験制御装置に送出する着信応答手段と、上記手動受付台回線を介して上記自動試験制御装置から送出されてきた通話信号のレベル確認を行う通話確認手段と、上記手動受付台回線を介して上記自動試験制御装置から送出されてきた切断信号を検出して再呼信号を上記手動受付台回線に送出する呼返し処理手段と、上記手動受付台回線を介して上記自動試験制御装置に被呼先掛け復旧試験用の復旧要求信号を送出する復旧処理手段と、上記手動受付台回線を介して上記自動試験制御装置に切断信号を送出する切断処理手段とを少なくとも有することを特徴とする手動受付台回線自動試験システム。
【請求項５】
請求項１から請求項４のいずれかに記載の手動受付台回線自動試験システムにおいて、
上記交換機の複数の上記特殊トランクを収容し、各特殊トランクと上記手動受付台との接続切換を制御する集約装置を有し、
上記自動試験制御装置および上記回線試験装置は、上記集約装置で順次に接続が切り換えられた各特殊トランクからなる手動受付台回線の自動試験を行なうことを特徴とする手動受付台回線自動試験システム。
【請求項６】
請求項５に記載の手動受付台回線自動試験システムにおいて、
電話網を介して上記集約装置に接続され、該集約装置の各特殊トランクと手動受付台との接続切換を上記電話網を介して指示する遠隔制御装置を有し、
上記自動試験制御装置と上記回線試験装置は、上記遠隔制御装置からの指示に基づき上記集約装置で接続された上記特殊トランクからなる上記手動受付台回線の自動試験を行うことを特徴とする手動受付台回線自動試験システム。
【請求項７】
請求項６に記載の手動受付台回線自動試験システムにおいて、
上記遠隔制御装置は、
上記電話網を介しての上記自動試験制御装置との接続を制御する電話回線接続手段と、該電話回線接続手段で接続された上記自動試験制御装置からの指示に基づき上記集約装置の各特殊トランクと手動受付台との接続切換を制御する集約装置制御手段と
を少なくとも有することを特徴とする手動受付台回線自動試験システム。
【請求項８】
請求項１から請求項７のいずれかに記載の手動受付台回線自動試験システムにおいて、
上記自動試験制御装置は、予め設定された周期で上記手動受付台回線の試験を起動する制御手段を具備し、定期的に上記手動受付台回線の自動試験を行うことを特徴とする手動受付台回線自動試験システム。
【請求項９】
請求項１から請求項８のいずれかに記載の手動受付台回線自動試験システムにおいて、
上記自動試験制御装置は、それぞれ上記手動受付台に対応して設けられた複数の上記特殊トランクのリストを具備し、該リストにある上記特殊トランクの全てに対して上記手動受付台回線の自動試験を順次に繰り返すことを特徴とする手動受付台回線自動試験システム。
【発明の詳細な説明】
【０００１】
【発明の属する技術分野】
本発明は、警察署や消防署等、交換機の直通信号方式回線インタフェーストランク（特殊トランク）に接続された特定の手動受付台回線の試験技術に係り、特に、試験を自動化して、人手による負荷を軽減するのに好適な手動受付台回線自動試験システムに関するものである。
【０００２】
【従来の技術】
加入者交換機（以下、「交換機」という）には、加入者線を介して、加入者端末と保守用端末とがそれぞれ接続される。また、交換機は、特殊接続を行う直通信号方式回線インタフェーストランク（以下、単に「特殊トランク」という）を介して手動受付台に接続し、一般の通話接続用の出回線トランクを介して、通信網の通信回線に接続されている。ここで、直通信号方式とは、交換機に接続された特定の手動受付台に着信させるための回線の信号方式であり、例えば、警察署や消防署等の手動受付台として特殊トランクがある。
【０００３】
以下、従来より知られている電気通信網に設置された交換機の特殊トランクの基本的な動作について説明する。
図１５は、従来の特殊トランクに接続された特定の手動受付台回線の試験システムの構成例を示すブロック図である。
交換機１５ａには、加入者線を介して、加入者端末１５ｂと試験端末１５ｃとがそれぞれ接続されている。
【０００４】
また、交換機１５ａは、特殊接続を行う特殊トランク１５ｄ（ＦＰＴ）を介して手動受付台１５ｅが接続され、一般の通話接続用の出回線トランク１５ｆ（ＯＧＴ）を介して通信網の通信回線に接続されている。
ここで、特殊トランク１５ｄと手動受付台１５ｅとの間は、通常に、専用の回線として接続される。
【０００５】
交換機１５ａが、一般的な加入者端末１５ｂから他の加入者端末への発呼を受けた場合には、出回線トランク１５ｆを使用して、当該する他の加入者端末に通話接続を行う。
一方、交換機１５ａが、加入者端末１５ｂから、特定の特殊番号による緊急等の発呼により手動受付台１５ｅへの接続を受けた場合には、特殊トランク１５ｄを介して、所定の手動受付台１５ｅに接続する。この場合、直通信号方式回線の特殊トランク１５ｄでは、例えば、発呼した加入者端末が、手動受付台１５ｅよりも先にオンフックして接続を中断しても、当該接続呼を、交換機１５ａ側で保留しておき、手動受付台１５ｅから発呼加入者端末１５ｂへの、いわゆる「呼び返し」を行うことができるなど、通常の接続呼とは異なる特殊な処理を行うことができる。
【０００６】
次に、このような特殊トランク１５ｄからなる手動受付台回線の従来の試験方法について説明する。
まず、保守者が試験端末１５ｃより特定の特殊番号を発呼すると、交換機１５ａにより手動受付台１５ｅと特殊トランク１５ｄとの間が接続されて、手動受付台１５ｅに起動をかける（着信試験）。その後、手動受付台１５ｅより受付者が応答する（応答検出試験）と、試験端末１５ｃより発呼した保守者と手動受付台１５ｅの受付者との間で、通話（通話レベル判定試験）、呼び返し（逆信号検出試験）、応答、切断等の所定の操作により、特殊トランク１５ｄと手動受付台１５ｅとの間の回線を構成する中継装置および中継線の正常性が確認される。
【０００７】
このように、従来は、毎日かつ定時に、保守者が試験端末１５ｃから発呼して、特殊トランク１５ｄを介して所定の手動受付台１５ｅに接続し、その各回線毎に手動受付台１５ｅとの間で発信、接続、応答、呼び返し、切断等が正常に実施できるかどうかの確認を行う一連の試験動作を手操作により行っていた。
次に、他の従来技術について、図１６を用いて説明する。
図１６は、従来の特殊トランクに接続された特定の手動受付台回線の試験システムの他の構成例を示すブロック図である。
本例は、従来の特殊トランクに接続された回線の試験を、試験端末を集約して行う場合を説明するものである。
【０００８】
図１６（ａ）は、複数の特殊トランク１８ａ〜１８ｃと手動受付台１９の間が個別に接続された場合であり、図１６（ｂ）は、各特殊トランク１８ａ〜１８ｄと手動受付台１９の間が集約装置２０により一部集約された場合である。
図１６（ａ）の場合には、試験に先だって保守者が、試験を行う特殊トランク１８ａ〜１８ｃを指定して、試験端末１６を、その被試験特殊トランク１８ａ〜１８ｃを収容する交換機１７ａ〜１７ｃに接続し、その後、図１５で説明した試験を実施する。そして、順次、被試験特殊トランク１８ａ〜１８ｃを変更して、同様な試験操作を繰り返して行う。
【０００９】
また、図１６（ｂ）の場合には、試験に先立って、保守者が、被試験特殊トランク１８ａ〜１８ｄの指定と、集約装置２０の接続指示を行って、試験端末１６を、その被試験特殊トランク１８ａ〜１８ｄを収容する交換機１７ａ〜１７ｄおよび集約装置２０に接続し、その後、図１５で説明した試験を実施する。そして、順次、被試験特殊トランク１８ａ〜１８ｄを変更して、図１６（ａ）の場合と同様な試験操作を繰り返して行う。
【００１０】
しかしながら、このような従来の試験技術は、手動で行なうので、試験実施の間、試験端末１６側、ならびに手動受付台１９側の双方に人員を配置しなければならない。
さらに集約装置２０を用いたケースでは、試験業務の集約化により、試験稼働が集中し、本来の緊急等の発呼を確保することができなくなるおそれがある。このような本来の緊急等の発呼を確保するためには、全ての回線を試験し難かったり、遠隔試験がし難かったりといった課題を有していた。
【００１１】
【発明が解決しようとする課題】
解決しようとする問題点は、従来の技術では、警察署や消防署等、特殊トランクを介して交換機に接続された特定の手動受付台間の試験を、人手を介さず自動的に行うことができない点である。
本発明の目的は、これら従来技術の課題を解決し、特定の手動受付台回線の試験を効率良く行うことを可能とする手動受付台回線自動試験システムを提供することである。
【００１２】
【課題を解決するための手段】
上記目的を達成するため、本発明の手動受付台回線自動試験システムは、
（１）交換機１の特殊トランク（直通信号方式回線インタフェーストランク）２を介して手動受付台３を接続する手動受付台回線４の、従来は、試験端末１５ｃ，１６および手動受付台１５ｅ，１９の人手によるそれぞれの操作により行われていた試験を自動的に行う手動受付台回線自動試験システムであって、交換機１に接続され、従来は手動受付台３への発呼を少なくとも含む試験端末で人手により操作されていた試験操作を自動的に行う自動試験制御装置７と、手動受付台３の前段で手動受付台回線４に接続され、自動試験制御装置７の試験操作に対応して、発呼に対する応答を少なくとも含む従来は手動受付台３で人手により操作されていた試験操作を自動的に行う回線試験装置６とを有し、さらに、交換機１に接続される二つの加入者線（ポート５ｄ，５ｅ）を具備し、自動試験制御装置７からの発呼に基づきこの自動試験制御装置７に、加入者線の一方を介して交換機１により接続され、この接続された自動試験制御装置７からの手動受付台３への発呼を、加入者線の他方を介して交換機１に送出する試験回線接続装置５を設け、自動試験制御装置７を加入者線（電話網８）を介して交換機１に接続することにより、手動受付台回線４の自動試験を行うことを特徴とする。
また、（２）上記（１）に記載の手動受付台回線自動試験システムにおいて、自動試験制御装置７は、試験回線接続装置５への発呼およびこの試験回線接続装置５と交換機１を介しての手動受付台３への発呼を少なくとも行う試験発呼制御部７ｃと、回線試験装置６に起動をかけてこの回線試験装置６に手動受付台回線４を引き込ませる回線試験装置制御部７ｄと、手動受付台３への発呼に対する回線試験装置６からの応答の確認、回線試験装置６間で送受信するＰＢ（プッシュボタン）信号のレベル確認、回線試験装置６から送出される再呼信号の受信確認を少なくとも含む手動受付台回線４の試験を行う回線試験制御部７ｅとを少なくとも有することを特徴とする。
また、（３）上記（１）または（２）に記載の手動受付台回線自動試験システムにおいて、回線試験装置６は、自動試験制御装置７からの指示に基づき、特殊トランク２と手動受付台３を接続する手動受付台回線４を自装置内に引き込む切換制御部（切換部６ｂ＋装置制御部６ａ）と、この切換制御部（切換部６ｂ＋装置制御部６ａ）で引き込んだ手動受付台回線４を介して自動試験制御装置７との試験を行う試験回路部６ｃとを少なくとも有することを特徴とする。
また、（４）上記（３）に記載の手動受付台回線自動試験システムにおいて、回線試験装置６の試験回路部６ｃは、手動受付台回線４を介して自動試験制御装置７から送出されてきた発呼信号を検出する着信検出部６ｃ１と、この着信検出部６ｃ１で検出した発呼信号に対応して応答信号を手動受付台回線４を介して自動試験制御装置７に送出する着信応答部６ｃ２と、手動受付台回線４を介して自動試験制御装置７から送出されてきた通話信号のレベル確認を行う通話確認部６ｃ３と、手動受付台回線４を介して自動試験制御装置７から送出されてきた切断信号を検出して再呼信号を手動受付台回線４に送出する呼返し処理部６ｃ４と、手動受付台回線４を介して自動試験制御装置７に被呼先掛け復旧試験用の復旧要求信号を送出する復旧処理部６ｃ５と、手動受付台回線４を介して自動試験制御装置７に切断信号を送出する切断処理部６ｃ６とを少なくとも有することを特徴とする。
また、（５）上記（１）から（４）のいずれかに記載の手動受付台回線自動試験システムにおいて、交換機１の複数の特殊トランク２ａ，・・・を収容し、各特殊トランク２ａ，・・・と手動受付台３との接続切換を制御する集約装置９を有し、自動試験制御装置７および回線試験装置６は、集約装置９で順次に接続が切り換えられた各特殊トランク２ａ，・・・からなる手動受付台回線４の自動試験を行なうことを特徴とする。
また、（６）上記（５）に記載の手動受付台回線自動試験システムにおいて、電話網８を介して集約装置９に接続され、この集約装置９の各特殊トランク２ａ，・・・と手動受付台３との接続切換を電話網８を介して指示する遠隔制御装置１０を有し、自動試験制御装置７と回線試験装置６は、遠隔制御装置１０からの指示に基づき集約装置９で接続された特殊トランク２ａ，・・・からなる手動受付台回線４の自動試験を行うことを特徴とする。
また、（７）上記（６）に記載の手動受付台回線自動試験システムにおいて、遠隔制御装置１０は、電話網８を介しての自動試験制御装置７との接続を制御する電話回線接続部１０ａと、この電話回線接続部１０ａで接続された自動試験制御装置７からの指示に基づき集約装置９の各特殊トランク２ａ，・・・と手動受付台３との接続切換を制御する集約装置制御部１０ｅとを少なくとも有することを特徴とする。
また、（８）上記（１）から（７）のいずれかに記載の手動受付台回線自動試験システムにおいて、自動試験制御装置７は、予め設定された周期で手動受付台回線４の試験を起動する制御手段（装置制御部７ａ）を具備し、定期的に手動受付台回線４の自動試験を行うことを特徴とする。
また、（９）上記（１）から（８）のいずれかに記載の手動受付台回線自動試験システムにおいて、自動試験制御装置７は、それぞれ手動受付台３に対応して設けられた複数の特殊トランク２，２ａ，・・・のリスト（データメモリ７ｉ）を具備し、このリストにある特殊トランク２，２ａ，・・・の全てに対して手動受付台回線４の自動試験を順次に繰り返すことを特徴とする。
【００１３】
【発明の実施の形態】
以下、本発明の実施例を、図面により詳細に説明する。
図１は、本発明の手動受付台回線自動試験システムの本発明に係る構成の第１の実施例を示すブロック図である。
図１において、１は交換機、２は警察署や消防署等の特定の手動受付台を接続する交換機１の直通信号方式回線インタフェーストランクである特殊トランク（ＦＰＴ）、３は手動受付台、４は特殊トランク２と手動受付台３間を接続する回線（試験回線）、５〜７はそれぞれ本発明に係る試験回線接続装置（Ｔ−ＳＷ）、回線試験装置（ＦＰＬＴ）、自動試験制御装置（ＦＰＴＴＳＴ）、８は電話網である。
【００１４】
特殊トランク２は交換機１に収容され、試験対象となる。回線試験装置６は、特殊トランク２と手動受付台３との間、すなわち、回線４上に手動受付台３の前段に設けられている。また、試験回線接続装置５は２つの加入者線で交換機１に接続され、一方の加入者線は特殊トランク２に、他方の加入者線は、電話網８を介して自動試験制御装置７に接続される。また、回線試験装置６と自動試験制御装置７は、電話網８を介して相互に接続される。
以下、このような構成の本実施例の手動受付台回線自動試験システムによる回線４の試験動作を説明する。
【００１５】
交換機１および回線試験装置６は、集約された保守センタに置かれる自動試験制御装置７に電話網８を介して接続される。ここで、回線試験装置６は、手動受付台３に近接して、前段に、例えば、手動受付台３側の主配線盤（ＭＤＦ）などに設置される。
このような構成により、本例の手動受付台回線自動試験システムでは、自動試験制御装置７により、被試験対象となる特殊トランク２を選択し、試験回線接続装置５を起動して試験呼を発呼し、また、回線試験装置６を動作させて、この回線試験装置６との試験回線４経由での所定の回線試験を行う。
【００１６】
自動試験制御装置７は、試験全体の制御を行うものであり、図２に示すように、装置制御部７ａ、試験回線接続制御部７ｂ、試験発呼制御部７ｃ、回線試験装置制御部７ｄ、回線試験制御部７ｅ、音声ガイダンス送出制御部（図中、「音声ガイダンス送出部」と記載）７ｆ、通信回線接続部７ｇ、プログラムメモリ７ｈ、データメモリ７ｉ、ディスプレイ等の表示部７ｊ、キーボード等の入力部７ｋ、および、各部を接続する共通バス７ｍから構成される。尚、これ以外に、プリンタや外部メモリ等が必要により接続される。
【００１７】
装置制御部７ａは、プログラムメモリ７ｈに記憶された所定の試験プログラムに基づいて、全体の処理を制御する。
試験回線接続制御部７ｂは、主に試験の前処理を行うものであり、回線選択機能と電話機登録機能とトランク群確認機能、回線閉塞・解除機能等を有する。
試験発呼制御部７ｃは、試験回線接続装置５の制御機能を有する。
回線試験装置制御部７ｄは、回線試験装置６の制御機能を有する。
回線試験制御部７ｅは、回線試験を実行する部分であり、接続制御機能、応答検出機能、レベル判定機能、断線検出機能、呼び返し信号検出機能、切断機能といった試験機能と、試験結果の判定機能とを有する。
【００１８】
音声ガイダンス送出制御部７ｆは、回線試験制御部７ｅと連動して、試験内容に応じた音声ガイダンスを送出する。
通信回線接続部７ｇは、例えば、図１において、電話網８を介して交換機１と回線試験装置６とに接続する部分である。
データメモリ７ｉは、特殊トランク２を含む試験対処となる各特殊トランクのリストや試験結果などの試験に係る種々のデータを蓄積する記憶手段である。
【００１９】
図１における試験回線接続装置５は、自動試験制御装置７からの指示信号により、試験用の発呼接続を行うものであり、図３に示すように、装置制御部５ａ、発信制御部５ｂ、回線接続部５ｃおよび回線接続部５ｃに接続された２つのポート５ｄ（ポート１）、ポート５ｅ（ポート０）から構成されている。
装置制御部５ａは、試験回線接続装置５の全体の処理を制御する。
発信制御部５ｂは、試験の最初に行う接続試験のための発呼処理を行なう機能を有する。
【００２０】
回線接続部５ｃは、ポート５ｄとポート５ｅを介して、それぞれ図１の交換機１に接続され、また、装置制御部５ａの指示により、ポート５ｄとポート５ｅとを接続するインチャネルを形成する。ここで、ポート５ｅは、図１の自動試験制御装置７からの着信を受けるもので、ポート５ｄは、図１の交換機１への発信を行なうものである。尚、発信用のポートとしては１つに限定されるものではなく、必要に応じて適宜増加されることも可能である。
【００２１】
図１における回線試験装置６は、手動受付台３での人手による操作に代わって、自動試験制御装置７との間で所要の試験を自動的に行うものであり、図４に示すように、装置制御部６ａ、切換部６ｂ、試験回路部６ｃおよび特殊トランクへの回線接続部６ｄと手動受付台への回線接続部６ｅと、図１の自動試験制御装置７への電話回線接続部６ｆとから構成される。
装置制御部６ａは、回線試験装置６の全体の処理を制御する。
【００２２】
切換部６ｂは、特殊トランクへの接続を、図１の手動受付台３と試験回路部６ｃとで切り換えるスイッチ手段であり、通常は、図１の手動受付台３が特殊トランクに接続されている。試験時には、図１の自動試験制御装置７からの指示信号に基づいて、装置制御部６ａにより、試験回路部６ｃが図１の特殊トランク２に接続されるように切り換える。
試験回路部６ｃは、図５に示すように、各試験項目に応じた機能部分、すなわち、着信を検出する着信検出部６ｃ１、応答信号を送出する着信応答部６ｃ２、通話レベルを確認する通話確認部６ｃ３、発呼側でのオンフック時の再呼処理を行う呼返し処理部６ｃ４、着呼側でのオンフック時の再呼処理を行う復旧処理部６ｃ５、回線からの切断処理を行う切断処理部６ｃ６、切換部６ｂとの電圧等の整合性を合わせるインタフェース部６ｃ７、そして装置制御部６ｃからの指示を受けて各部（６ｃ１〜６ｃ６）の動作を制御する試験回路制御部６ｃ８から構成される。
【００２３】
次に、本実施例の手動受付台回線自動試験システムの本発明に係る動作を説明する。全体の動作フローを図６に、動作シーケンスを図７に示し、また、試験に係る動作シーケンスを図８に示す。
まず、図６に基づき説明する。
図１の自動試験制御装置７から交換機１に対して回線の使用状況の確認要求を出し（ステップ６０１）、その後、回線閉塞指示を出す（ステップ６０２）。
交換機１は、自動試験制御装置７からの指示に基づき当該回線を閉塞し、閉塞完了通知を自動試験制御装置７に出す（ステップ６０３）。
【００２４】
この完了通知を受けると自動試験制御装置７は、図１の電話網８経由で回線試験装置６に、当該回線の試験回路への引き込み指示を出す（ステップ６０４）。この指示に基づき回線試験装置６は、当該回線を試験回路へ引き込み、完了通知を自動試験制御装置７に出す（ステップ６０５）。
この通知を受けた自動試験制御装置７は、交換機１に対して、試験電話機登録指示を出し（ステップ６０６）、当該回線の特定番号（例えば、１１０番または１１９番）の接続指示を、図１の試験回線接続装置５に対して出す（ステップ６０７）。
【００２５】
試験回線接続装置５を介しての自動試験制御装置７からの指示およびデータに基づき、交換機１は、当該回線に接続する（ステップ６０８）。このようにして試験回路が設定され、これに伴い接続（着信）試験が確認される。
そして、回線試験装置６は、この試験回路を経由して、応答信号を自動試験制御装置７に出す（ステップ６０９）。
この応答信号を自動試験制御装置７が受信することにより、着信応答試験がなされる。そして、この応答信号を受信すると自動試験制御装置７は、回線試験装置６との間で、予め指定された順序で、通話レベル試験や保留機能試験、呼び返し機能試験などの試験を行う（ステップ６１０）。
【００２６】
所定の試験が終了した後、回線試験装置６から切断信号を出し、試験を終了する（ステップ６１１）。これにより、切断処理機能の試験が行われる。
このようにして各試験が終了すると、自動試験制御装置７は、回線試験装置６に対して引き込み解除指示を出し（ステップ６１２）、さらに、回線試験装置６からの完了通知を受信後、交換機１に対して閉塞解除指示を出す（ステップ６１３）。
このようにして、図１における特殊トランク２と手動受付台３間の回線４の試験を自動的に行う。また、これらの動作を、試験対象である全特殊トランクに対して順次に繰り返す。
【００２７】
次に、図７により、動作シーケンスを説明する。
まず、前処理として、自動試験制御装置から交換機に対して回線の使用状況の確認要求を出し、回線が空いていれば、自動試験制御装置は交換機に回線閉塞指示を出す。交換機が、自動試験制御装置からの指示に基づき当該回線を閉塞すると、自動試験制御装置は、回線試験装置に、当該回線の試験回路への引き込み指示を出す（図１の電話網８経由で）。この指示に基づき回線試験装置が、当該回線を試験回路へ引き込むと、自動試験制御装置は、交換機に対して、試験電話機の登録を指示する。
【００２８】
交換機による試験電話機の登録が完了すると、自動試験制御装置は、試験回線接続装置に、１１０番や１１９番等の特定番号への接続指示を出す。試験回線接続装置は、その指示に基づき回線試験装置に発呼を行い、回線試験装置からの応答が試験回線接続装置経由で自動試験制御装置に返される。その後、自動試験制御装置は、回線試験装置間で、所定の試験を行う。
所定の試験が終了すると回線試験装置は切断信号を送出し、この切断信号は、交換機および試験回線接続装置経由で自動試験制御装置に通知される。
この通知を受けると自動試験制御装置は、交換機に対する試験電話機の登録解除指示、回線試験装置に対する回線切り戻し指示、および、その後の交換機に対する回線の閉塞解除指示からなる後処理を行い、処理を終了する。
【００２９】
次に、図８を用いて、試験動作シーケンスに係る説明を行う。
自動試験制御装置から試験回線接続装置の呼出しがかかると、交換機は、ポート０経由で試験回線接続装置を呼出し、試験回線接続装置からの応答を受けると、自動試験制御装置と試験回線接続装置間を接続する。
接続された自動試験制御装置から試験回線接続装置に、１１０番あるいは１１９番等の特定番号への接続指示を出し、試験回線接続装置からポート１を介して交換機にその指示に基づく特定番号の発呼を行い、ポート０とポート１をインチャネル接続する。
【００３０】
この試験回線接続装置からの発呼に基づき、交換機は、回線試験装置を呼び出す。このことにより着信検出試験が行われる。
交換機からの呼出しに対応して回線試験装置は応答信号を送出する。これにより、着信応答試験が行われる。この回線試験装置からの応答に基づき、交換機は、試験回線接続装置および自動試験制御装置と回線試験装置間を接続する。
接続後、自動試験制御装置は回線試験装置にガイダンスを送出し、回線試験装置は自動試験制御装置に応答信号を送出する。これに伴い、通話（レベル）確認試験が行われる。
【００３１】
回線試験装置からの応答信号を受信した自動試験制御装置は、試験回線接続装置を介して交換機に切断指示信号を送出し、交換機はポート１側の回線を開放する。この状態で、回線試験装置から呼び返し信号を送出することにより、復旧処理試験を行う。尚、この復旧処理試験は、発呼再呼び出しであり、回線試験装置からの呼び返し信号に基づき交換機は、試験回線接続装置を呼び出し、自動試験制御装置に呼び返し信号を送出し、再接続する。
その後、回線試験装置から切断信号が送出され、この切断信号に基づき、交換機は、回線を開放し、試験回線接続装置（ポート１）間を切断し、試験回線接続装置は、ポート０での交換機との接続を切断し、それに伴い交換機は、自動試験制御装置との接続を切断して処理を終了する。
【００３２】
次に、図９〜図１４を用いて、本発明の他の実施例を説明する。
図９は、本発明の手動受付台回線自動試験システムの本発明に係る構成の第２の実施例を示すブロック図である。
本例は、試験回線に集約装置が設置される場合の例を示し、図１で示した第１の実施例に加えて、集約装置９（ＰＦＣＥ）と、この集約装置９を制御するための遠隔制御装置１０（ＣＯＰＳ）が設置されている。ここで、集約装置９の入回線としては、複数の特殊トランク（２ａ，・・・）からの複数回線が接続されているが、本図９では、代表の１回線（回線４ａ）のみを示してある。また、遠隔制御装置１０は、電話網８を介して自動試験制御装置１１に接続され、この自動試験制御装置１１の制御の基で集約装置９を制御する。
【００３３】
この構成例では、自動試験制御装置１１により、順次、被試験特殊トランク２ａ，・・・と集約装置９の接続回線とを選択し、試験回線接続装置５を起動して試験呼を発呼し、また、回線試験装置６を動作させて、この回線試験装置６との試験回線４ａ，・・・経由での間で、所定の回線試験を行うものである。
ここで、試験回線接続装置５と回線試験装置６とは、図１で示すものと同一の構成で良い。
【００３４】
自動試験装置１１は、図１０に示すように、図２に示した第１の実施例における自動試験装置６に、遠隔制御装置制御部７ｎが追加された構成となっている。この遠隔制御装置制御部７ｎは、図９の集約装置９において被試験回線４ａの選択接続および解除を行うように遠隔制御装置１０を制御するものである。
図９における集約装置９は、図１１に示すように、入側回線接続部９ａ、出側回線接続部９ｂ、選択接続部９ｃ、接続制御部９ｄ、電話回線接続部９ｅからなる構成により、複数の入回線の中から被試験特殊トランクに接続された回線を選択して、これを、図９の手動受付台３ａ側の回線試験装置６に接続された出回線に接続するものである。
【００３５】
図９における遠隔制御装置１０は、自動試験制御装置１１からの指示で集約装置９を制御するものであり、その構成は、図１２に示すように、自動試験制御装置１１への接続用の電話回線接続部１０ａ、集約装置９への接続用の電話回線接続部１０ｂ、装置制御部１０ｃ、自動接続部１０ｄおよび集約装置制御部１０ｅから構成される。
装置制御部１０ｃは、装置全体の処理を制御する。
自動接続部１０ｄは、自動試験制御装置１１からの指示信号に基づいて、集約装置９との自動接続を行う。
集約装置制御部１０ｅは、自動試験制御装置１１からの指示信号に基づいて、集約装置９における入・出の回線接続を指示および確認するものである。
【００３６】
次に、図９に示す構成の手動受付台回線自動試験システムの本発明に係る動作説明を行う。全体の動作フローを図１３に、動作シーケンスを図１４に示す。
まず、図１３に示すように、図９の自動試験制御装置１１から交換機１に対して回線の使用状況の確認要求を出し（ステップ１３０１）、その後、回線閉塞指示を出す（ステップ１３０２）。
この自動試験制御装置１１からの指示に基づき交換機１は、当該回線を閉塞し、完了通知を自動試験制御装置１１に出す（ステップ１３０３）。
【００３７】
この完了通知を受けると、自動試験制御装置１１は、図９の遠隔制御装置１０に対し、当該回線が収容されている図９の集約装置９への接続指示を出す（ステップ１３０４）。この自動試験制御装置１１からの接続指示に基づき、遠隔制御装置１０は集約装置９に対して、当該回線の閉塞および指定接続指示を出す（ステップ１３０５）。これに対応して集約装置９は、当該回線を閉塞して入り側と出側を接続し、その完了通知を遠隔制御装置１０に送出する（ステップ１３０６）。遠隔制御装置１０は、集約装置９からの完了通知を自動試験制御装置１１に送出する（ステップ１３０７）。
【００３８】
その後、図６のステップ６０４〜６１２において説明した「試験回路の引き込み」、「試験電話機登録」、「特定番号（１１０，１１９等）への回線接続」、「各種試験」、「試験終了に伴う自動試験制御装置から回線試験装置に対する引き込み解除指示の送出」等に係る処理を行う。そして、この「自動試験制御装置から回線試験装置に対する引き込み解除指示」に対する図９の回線試験装置６からの完了通知を受信すると、自動試験制御装置１１は、集約装置９に対して指定接続と閉塞の解除指示を出し（ステップ１３０９）、集約装置９からの完了通知の受信後、交換機１に対して閉塞解除指示を出して（ステップ１３１０）、処理を終了する。
このようにして、図９における特殊トランク２ａと手動受付台３ａ間の集約装置９からなる回線４ａの試験を遠隔制御装置１０を用いて自動的に行う。
【００３９】
次に、図１４により、動作シーケンスを説明する。
まず、前処理として、自動試験制御装置から、交換機に対して回線の使用状況の確認要求を出し、回線が空いていれば、回線閉塞指示を出す。交換機が、自動試験制御装置からの指示に基づき当該回線を閉塞すると、自動試験制御装置は、遠隔制御装置に、当該回線を収容している集約装置への接続を指示し、これに基づき遠隔制御装置は集約装置に対して、当該回線の閉塞と指定接続を指示する。
【００４０】
この指示に基づき集約装置が当該回線を閉塞し、入出側回線を接続すると、その完了通知を遠隔制御装置を介して受けた自動試験制御装置は、回線試験装置に、当該回線の試験回線への引き込みを指示する。この指示に基づき回線試験装置が当該回線の試験回線への引き込みを完了すると、自動試験制御装置は、交換機に対して試験電話機の登録を指示する。
このようにして前処理が完了すると、自動試験制御装置は、試験回線接続装置に対して当該回線の特定番号への接続指示を送出する。
【００４１】
この接続指示に対応する応答信号を回線試験装置から受け取り、自動試験制御装置は、回線試験装置間での所定の試験を行う。
試験が終了して回線試験装置から、交換機および試験回線接続装置を介して切断信号を受けると、自動試験制御装置は、交換機に対する試験電話機の登録解除指示、回線試験装置に対する回線の引き込み解除指示、遠隔制御装置および集約装置に対する回線閉塞と指定接続の解除指示、その後の交換機に対する回線閉塞解除指示等からなる後処理を行い処理を終了する。
尚、試験時の動作は、図８での説明と同じである。
以上の動作を試験対象である全特殊トランクに対して順次繰り返す。
【００４２】
以上、図１〜図１４を用いて説明したように、本実施例の手動受付台回線自動試験システムでは、発信側の発信、接続、通話、切断等の操作と、着信側の応答、接続、通話、呼び出し、切断等の操作により、回線が正常であるか否かの確認等を行なう特定の手動受付台を接続する回線の試験を、全て自動で行なうことができ、試験担当者および手動受付台の対応者のそれぞれの作業負荷を大幅に減ずることが可能となる。また、大量の試験に要する試験時間を削減することも可能となる。
尚、本発明は、図１〜図１４を用いて説明した実施例に限定されるものではなく、その要旨を逸脱しない範囲において種々変更可能である。
【００４３】
【発明の効果】
本発明によれば、警察署や消防署等、交換機の特殊トランク（直通信号方式回線インタフェーストランク）に接続された特定の手動受付台回線の試験を、人手を介さず自動的に行うことができ、人手による作業負荷を軽減でき、試験の効率化を図ることが可能である。
【図面の簡単な説明】
【図１】本発明の手動受付台回線自動試験システムの本発明に係る構成の第１の実施例を示すブロック図である。
【図２】図１における自動試験制御装置の構成例を示すブロック図である。
【図３】図１における試験回線接続装置の構成例を示すブロック図である。
【図４】図１における回線試験装置の構成例を示すブロック図である。
【図５】図４における回線試験装置の試験回路部の構成例を示すブロック図である。
【図６】図１における手動受付台回線自動試験システムの本発明に係る動作例を示すフローチャートである。
【図７】図１における手動受付台回線自動試験システムの本発明に係る動作シーケンス例を示すシーケンス図である。
【図８】図１における手動受付台回線自動試験システムの本発明に係る試験動作シーケンス例を示すシーケンス図である。
【図９】本発明の手動受付台回線自動試験システムの本発明に係る構成の第２の実施例を示すブロック図である。
【図１０】図９における自動試験制御装置の構成例を示すブロック図である。
【図１１】図９における集約装置の構成例を示すブロック図である。
【図１２】図９における遠隔制御装置の構成例を示すブロック図である。
【図１３】図９における手動受付台回線自動試験システムの本発明に係る動作例を示すフローチャートである。
【図１４】図９における手動受付台回線自動試験システムの本発明に係る動作シーケンス例を示すシーケンス図である。
【図１５】従来の特殊トランクに接続された特定の手動受付台回線の試験システムの構成例を示すブロック図である。
【図１６】従来の特殊トランクに接続された特定の手動受付台回線の試験システムの他の構成例を示すブロック図である。
【符号の説明】
１：交換機、２，２ａ：特殊トランク、３，３ａ：手動受付台、４，４ａ：回線、５：試験回線接続装置、５ａ：装置制御部、５ｂ：発信制御部、５ｃ：回線接続部、５ｄ，５ｅ：ポート、６：回線試験装置、６ａ：装置制御部、６ｂ：切換部、６ｃ：試験回路部、６ｃ１：着信検出部、６ｃ２：着信応答部、６ｃ３：通話確認部、６ｃ４：呼返し処理部、６ｃ５：復旧処理部、６ｃ６：切断処理部、６ｃ７：インタフェース部、６ｃ８：試験回路制御部、６ｄ，６ｅ：回線接続部、６ｆ：電話回線接続部、７：自動試験制御装置、７ａ：装置制御部、７ｂ：試験回線接続制御部、７ｃ：試験発呼制御部、７ｄ：回線試験装置制御部、７ｅ：回線試験制御部、７ｆ：音声ガイダンス送出制御部、７ｇ：通信回線接続部、７ｈ：プログラムメモリ、７ｉ：データメモリ、７ｊ：表示部、７ｋ：入力部、７ｍ：共通バス、７ｎ：遠隔制御装置制御部、８：電話網、９：集約装置、９ａ：入側回線接続部、９ｂ：出側回線接続部、９ｃ：選択接続部、９ｄ：接続制御部、９ｅ：電話回線接続部、１０：遠隔制御装置、１０ａ，１０ｂ：電話回線接続部、１０ｃ：装置制御部、１０ｄ：自動接続部、１０ｅ：集約装置制御部、１１：自動試験制御装置、１５ａ：交換機、１５ｂ：加入者端末、１５ｃ：試験端末、１５ｄ：特殊トランク、１５ｅ：手動受付台、１５ｆ：出回線トランク、１６：試験端末、１７ａ〜１７ｄ：交換機、１８ａ〜１８ｄ：特殊トランク、１９：手動受付台、２０：集約装置。
【図１】
0003569792.tif 000002
【図２】
0003569792.tif 000003
【図３】
0003569792.tif 000004
【図４】
0003569792.tif 000005
【図５】
0003569792.tif 000006
【図６】
0003569792.tif 000007
【図７】
0003569792.tif 000008
【図８】
0003569792.tif 000009
【図９】
0003569792.tif 000010
【図１０】
0003569792.tif 000011
【図１１】
0003569792.tif 000012
【図１２】
0003569792.tif 000013
【図１３】
0003569792.tif 000014
【図１４】
0003569792.tif 000015
【図１５】
0003569792.tif 000016
【図１６】
0003569792.tif 000017